(57)【要約】【課題】本発明は、検版工程において、作業負荷を低減し、差異点を見落とす危険を抑え、検版のための付随作業を抑制する検版システム等を提供する。【解決手段】本発明は、デジタルデータ３とデジタルデータ３を所定の出力機により出力した体裁見本２とをもとに検版を行う検版システム１において、デジタルデータ３からビットマップ形式の画像データを生成するデータ生成手段と、前記画像データと体裁見本２をスキャナによりビットマップ形式にしたスキャンデータを比較する比較手段と、を備えることを特徴とする。【選択図】図１
2015187810.tif 000002
【特許請求の範囲】
【請求項１】
デジタルデータと前記デジタルデータを所定の出力機により出力した紙媒体とに基づいて検版を行う検版システムであって、
前記デジタルデータからビットマップ形式の画像データを生成するデータ生成手段と、
前記画像データと前記紙媒体をスキャナでビットマップ形式にしたスキャンデータを比較する比較手段と、
を備えることを特徴とする検版システム。
【請求項２】
前記スキャンデータ及び前記画像データの対応する特徴点に基づいて前記スキャンデータと前記画像データとの位置合わせをする位置合わせ手段を更に備え、
前記比較手段は、前記位置合わせされた前記スキャンデータと前記画像データとに基づいて、前記スキャンデータと前記画像データを比較することを特徴とする請求項１に記載の検版システム。
【請求項３】
前記紙媒体をスキャンしビットマップ形式のスキャンデータを生成するスキャンデータ生成手段を更に備え、前記スキャンデータ生成手段は、平滑度の高いスキャナを用いることを特徴とする請求項１または請求項２に記載の検版システム。
【請求項４】
デジタルデータと前記デジタルデータを所定の出力機により出力した紙媒体とに基づいて検版を行う検版方法であって、
前記紙媒体をスキャンしビットマップ形式のスキャンデータを生成するスキャンデータ生成ステップと、
前記デジタルデータからビットマップ形式の画像データを生成するデータ生成ステップと、
前記スキャンデータと前記画像データを比較する比較ステップと、
を含むことを特徴とする検版方法。
【発明の詳細な説明】
【技術分野】
【０００１】
本発明は、印刷の前工程である製版工程において、指示通りにデータが作成されているかを検版するデジタル検版技術に関する。
【背景技術】
【０００２】
印刷の前工程である製版工程では、得意先で印刷物のデザインを作成し、体裁見本と一緒にＤＴＰデータが入稿される場合があり、ＤＴＰ編集ソフトウェアでＤＴＰデータを開いて体裁見本どおりに印刷できるかを確認する。通常、得意先が体裁見本を出力した環境で用いている編集ソフトウェアの設定、バージョン、編集端末のＯＳのバージョン、プリンタ等を揃えて印刷することが困難なため、印刷したものが得意先より入稿した体裁見本どおりになっているかを検版する必要があった。
【０００３】
例えば、特許文献１では、初心者でも簡単、正確かつ迅速に検版が実施できる小型で安価なデジタル検版装置が開示されている。具体的には、印刷物を構成する各部品をＤＴＰ（ＤｅｓｋＴｏｐ  Ｐｕｂｌｉｓｈｉｎｇ）作業により編集、レイアウトして得た編集レイアウトデータをＲＩＰ（Ｒａｓｔｅｒ  Ｉｍａｇｅ  Ｐｒｏｃｅｓｓｏｒ）展開することにより、ビットマップ形式の画像データに変換して出力する製版システムにおいて、デジタル検版を実施する装置であって、修正前の旧バージョンのＲＩＰ展開後の画像データを保存する保存手段、修正後の新バージョンのＲＩＰ展開後の画像データと保存手段に保存された旧バージョンのＲＩＰ展開後の画像データとを比較することにより、その差異点を検出するデータ比較手段、および前記データ比較手段により検出された差異点を表示する表示手段を備えることを特徴としている。
【先行技術文献】
【特許文献】
【０００４】
【特許文献１】特開平７−２１９２０２
【発明の概要】
【発明が解決しようとする課題】
【０００５】
しかしながら、修正前と修正後のデータは共に同一の環境下でＤＴＰ編集作業後にＲＩＰ展開してビットマップ化したデータを検版しているものであり、得意先と異なる環境下で印刷されたものを検版するものではない。
従来、得意先から紙媒体で体裁見本とＤＴＰデータが入稿される場合、ＤＴＰ編集作業環境を得意先と揃えてプリンタで出力し、体裁見本と比較して紙媒体同士を目視検版するか、若しくは、社内で体裁見本とＤＴＰデータをプリンタで出力した紙媒体とをスキャナでデータ化して検版する必要があった。しかしながら、これらの検版方法はいずれも作業負荷が高く、差異点を見落とす危険が伴うという課題があった。また、検版のために付随工程が増えることも課題であった。
【０００６】
本発明は、前述した課題に鑑みてなされたものであり、その目的は、検版工程において、作業負荷を低減し、差異点を見落とす危険を抑制する検版システム等を提供することである。
【課題を解決するための手段】
【０００７】
前述した目的を達成するための第１の発明は、デジタルデータと前記デジタルデータを所定の出力機により出力した紙媒体とに基づいて検版を行う検版システムであって、前記デジタルデータからビットマップ形式の画像データを生成すデータ生成手段と、前記画像データと前記紙媒体をスキャナでビットマップ形式にしたスキャンデータを比較する比較手段と、を備えることを特徴とする検版システムである。
第１の発明によって、得意先から紙媒体で体裁見本が入稿される場合であっても、ビットマップ画像同士の比較によりデジタル検版を行うため、紙媒体同士の目視検査をする必要がない。そのため、作業負荷を低減し、また、差異点を見落とす危険を抑制することが可能となる。
【０００８】
前記スキャンデータ及び前記画像データの対応する特徴点に基づいて前記スキャンデータと前記画像データとの位置合わせをする位置合わせ手段を更に備え、前記比較手段は、前記位置合わせされた前記スキャンデータと前記画像データとに基づいて、前記スキャンデータと前記画像データを比較することが望ましい。
これによって、紙媒体のスキャンに影響して、スキャンデータが画像データに対して位置ずれしたような場合であっても、スキャンデータと画像データを自動で位置合わせするため、さらに、作業負荷を軽減することができる。
【０００９】
前記スキャンデータ生成手段は、平滑度の高いスキャナを用いて前記紙媒体をスキャンしビットマップ形式のスキャンデータを生成することが望ましい。
これによって、ぼけの少ないより鮮明なスキャンデータが得られるため、紙媒体のデジタル化の過程で生ずる画像劣化等を抑制し、スキャンデータとＤＴＰデータの検版精度を高め、誤検出、過検出を軽減することが可能となる。
【００１０】
第２の発明は、デジタルデータと前記デジタルデータを所定の出力機により出力した紙媒体とに基づいて検版を行う検版方法であって、前記紙媒体をスキャンしビットマップ形式のスキャンデータを生成するスキャンデータ生成ステップと、前記デジタルデータからビットマップ形式の画像データを生成するデータ生成ステップと、前記スキャンデータと前記画像データを比較する比較ステップと、を含むことを特徴とする検版方法である。
第２の発明によって、得意先から紙媒体で体裁見本が入稿される場合であっても、ビットマップ画像同士の比較によりデジタル検版を行うため、紙媒体同士の目視検査をする必要がない。そのため、作業負荷を低減し、また、差異点を見落とす危険を抑制することが可能となる。
【発明の効果】
【００１１】
本発明によれば、検版工程において、作業負荷を低減し、差異点を見落とす危険を抑制することができる。
【図面の簡単な説明】
【００１２】
【図１】本発明の実施の形態に係る検版システムの構成を示す概念図
【図２】ＤＴＰ端末、検版処理用端末のハードウェア構成例を示すブロック図
【図３】スキャナのハードウェア構成例を示すブロック図
【図４】検版工程のフローチャート
【図５】デジタル検版処理のフローチャート
【図６】位置合わせ処理の概念図
【図７】検版結果の一例を示す図
【発明を実施するための形態】
【００１３】
以下、図面に基づき、本発明の好適な実施形態を詳細に説明する。
【００１４】
図１は、本発明に係る検版システム１の構成を示す概念図である。
図１に示すように、本実施形態に係る検版システム１は、ＤＴＰ端末１００、検版処理用端末２００、及び、スキャナ３００が、ネットワーク４００を介して接続され、情報の送受信を行う構成となっている。
【００１５】
体裁見本２は、通常、得意先から入稿される紙媒体であり、検版工程において
見本となるサンプルである。本実施形態の場合、体裁見本２は、得意先の端末等
で作成されたデジタルデータ３を得意先のプリンタで印刷したものである。
【００１６】
デジタルデータ３は、本実施形態の場合、得意先のプリンタで出力された体裁
見本２の元になったデータである。また、デジタルデータ３は、得意先の端末で
作成され、当該端末の機種、デジタルデータ３を作成する際に使用したイメージ
編集ソフトのバージョンなどに依存した形式のデータである。
【００１７】
本実施形態の場合、上記した体裁見本２とデジタルデータ３は、得意先から一
緒に入稿されるものとする。
【００１８】
図２は、ＤＴＰ端末１００、検版処理用端末２００のハードウェア構成を示す図である。ＤＴＰ端末１００、検版処理用端末２００は、制御部２０１、記憶部２０２、メディア入出力部２０３、通信制御部２０４、入力部２０５、表示部２０６、周辺機器Ｉ／Ｆ部２０７、及びＲＩＰ部２０８により構成される。
ＤＴＰ端末１００、検版処理用端末２００は、通常、ＲＯＭ、ＲＡＭ等を備えたコンピュータで実現される。
【００１９】
制御部２０１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００２０】
ＣＰＵは、記憶部２０２、ＲＯＭ，記憶媒体等に格納されるプログラムをＲＡＭ上のワークメモリ領域に呼び出して実行し、バス２０９を介してＤＴＰ端末１００、検版処理用端末２００が行う全ての処理を実行する。
ＲＯＭは、不揮発性メモリであり、ＤＴＰ端末１００、検版処理用端末２００のブートプログラムやＢＩＯＳ等のプログラム、データ等を恒久的に保持している。
ＲＡＭは、揮発性メモリであり、記憶部２０２、ＲＯＭ、記憶媒体等からロードしたプログラム、データ等を一時的に保持するとともに、制御部２０１が各種処理を行う為に使用するワークエリアを備える。
【００２１】
記憶部２０２は、通常はＨＤＤ（ハードディスクドライブ）から構成され、制御部２０１が実行するプログラム、プログラム実行に必要なデータ等が格納される。プログラムに関しては、ＯＳ（オペレーティングシステム）に相当する制御プログラムや、後述するデジタル検版処理を実行するためのプログラム等が格納されている。これらの各プログラムコードは、制御部２０１により必要に応じて読み出されてＲＡＭに移され、ＣＰＵに読み出されて各種の手段として実行される。
【００２２】
メディア入出力部２０３は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）のメディア入出力装置を有する。
【００２３】
通信制御部２０４は、通信制御装置、通信ポート等を有し、ネットワーク４００を介して外部機器等と接続し、データ通信を行う。例えば、ＴＣＰ／ＩＰを用いた通信が可能である。
【００２４】
入力部２０５は、データの入力を行い、例えば、キーボード、マウス等のポインティングデバイス、テンキ―等の入力装置を有する。入力部２０５を介して、コンピュータに対して、操作指示、動作指示、データ入力等を行うことができる。
【００２５】
表示部２０６は、ＣＲＴモニタ、液晶パネル等のディスプレイ装置等を有する。
【００２６】
周辺機器Ｉ／Ｆ（インターフェース）部２０７は、コンピュータに周辺機器を接続させるためのポートであり、周辺機器Ｉ／Ｆ部２０７を介してコンピュータは周辺機器とのデータ通信を行う。周辺機器Ｉ／Ｆ部２０７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
【００２７】
ラスタイメージプロセッサ（ＲＩＰ）部２０８は、ラスタイメージ（ビットマップ画像）を生成する機能であり、ＤＴＰ端末１００、検版処理端末２００の制御部２０１で実行されるソフトウェアとして実装されている。
【００２８】
バス２０９は、各装置間の制御信号、データ信号等の授受を媒介する経路である。
【００２９】
図３は、スキャナ３００のハードウェア構成を示す図である。スキャナ３００は、制御部３０１、記憶部３０２、メディア入出力部３０３、通信制御部３０４、入力部３０５、表示部３０６、周辺機器Ｉ／Ｆ部３０７、プリンタ部３０８、ＲＩＰ部３０９、及び、スキャナ部３１０から構成される。
【００３０】
スキャナ３００は、業務用の複合機などでも良いが、好ましくは、平滑度の高い製版専用のスキャナを用いるがよい。平滑度の高い製版専用のスキャナを用いれば、ぼけの少ない鮮明な画像が得られるため、紙媒体のデジタル化の過程で生ずる画像劣化等を抑制することができる。
【００３１】
制御部３０１は、記憶部３０２、メディア入出力部３０３、通信制御部３０４、周辺機器Ｉ／Ｆ部３０７、バス３１１は、前述したＤＴＰ端末１００、検版処理用端末２００の機能と同様であるため説明を省略する。
【００３２】
入力部３０５は、図示しないＬＣＤ（Ｌｉｑｕｉｄ Ｃｒｙｓｔａｌ Ｄｉｓｐｌａｙ）等の表示部を有し、表示部ＬＣＤ上にタッチパネルシートが貼られており、システムの操作画面を表示するとともに、表示してあるキーが押されるとその位置情報を制御部３０１に伝える。また、入力部３０５は、各種操作キーとして、例えば、スタートキー、ストップキー、ＩＤキー、リセットキー等を備える。
【００３３】
表示部３０６は、タッチパネルを介して操作できるものや、単に液晶画面を備え文字列を表示（スキャン状態やスキャンしている文書名の表示）させるだけのものであってもよい。
【００３４】
プリンタ部３０８は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、制御部３０１からの指示によって開始する。なお、本実施形態では、プリンタ機能を備えるように構成しているが、プリンタ機能を備えていないスキャナも存在する。本発明は、このようなプリンタ機能を備えないスキャナ専用機を除外する趣旨ではない点に留意されたい。
【００３５】
ラスタイメージプロセッサ（ＲＩＰ）部３０９は、ラスタイメージ（ビットマップ画像）を生成する機能であり、スキャナ３００内の制御部３０１で実行されるソフトウェアとして実装されてもよいし、独立したハードウェアで構成されていてもよい。ＲＩＰ部３０９は、スキャナ部３１０でスキャンした紙媒体のイメージデータからビットマップ画像を生成する。
【００３６】
スキャナ部３１０は、原稿となる紙媒体を照明し、ＣＣＤ（Ｃｈａｒｇｅ  Ｃｏｕｐｌｅｄ  Ｄｅｖｉｃｅ）、または、フォトマルチプラーヤー（Ｐｈｏｔｏ  Ｍｕｌｔｉｐｌｅｒ）を走査することで、紙媒体の画像情報を電気信号に変換する。紙媒体は、図示しない原稿台ガラス、フィーダ、または、ドラムにセットされ、使用者が入力部３０５から読み取り起動指示することにより、制御部３０１がスキャナ部３１０に指示を与え、紙媒体の読み取り動作を行い、スキャンを実行する。
【００３７】
＜検版工程＞
次に、図４のフローチャートを参照して、検版システム１の検版工程を説明する。
【００３８】
ステップ１において、まず、得意先から紙媒体の体裁見本２が入稿される。
【００３９】
ステップ２において、ＤＴＰオペレータなどが、得意先から入稿された紙媒体の体裁見本２をスキャナ３００の図示しない原稿台ガラス、フィーダ、または、ドラムにセットし、スキャナ３００の制御部３０１は、入力部３０５からＤＴＰオペレータなどの操作を受け付けることによって、体裁見本２のスキャンを実行する。
また、ステップ２において、スキャナ３００のＲＩＰ部３０９は、スキャン３００の制御部３０１の命令にしたがって、スキャンした体裁見本２からビットマップ画像を生成する。
以降、当該生成されたビットマップ画像を「スキャンデータ」と定義する。
【００４０】
ステップ３において、スキャナ３００の制御部３０１は、生成されたスキャンデータを、ネットワーク４００を介して、検版用データベース（以下、「検版用ＤＢ」と呼ぶ）に格納（保存）する。
【００４１】
一方、ステップ４において、体裁見本２に対応するデジタルデータ３が入稿される。
【００４２】
ステップ５において、ＤＴＰ端末１００のＲＩＰ部２０８は、ＤＴＰ端末１００の制御部２０１の命令に従って、デジタルデータ３をビットマップ画像に変換する。得意先から入稿されるデジタルデータ３は、一般的な編集に使用されるソフトウェアのＤＴＰデータである。
【００４３】
ステップ６において、ＤＴＰ端末の制御部２０１は、生成されたビットマップ化された画像データを、ネットワーク４００を介して、検版用ＤＢに格納（保存）する。
【００４４】
ステップ７において、検版処理用端末２００の制御部２０１は、検版用ＤＢに格納されたスキャンデータ及びＤＴＰデータをビットマップ化した画像データを取得し、デジタル検版を行う。デジタル検版の処理内容は後述する。なお、ステップ７において、検版処理用端末２００の制御部２０１が、取得したスキャンデータ及びＤＴＰデータをビットマップ化した画像データが適切なデータファイルか否かをチェックするようにしてもよい。この場合、例えば、スキャンデータ及びＤＴＰデータをビットマップ化した画像データの拡張子、ファイル名などが一致しているか否かをチェックし、一致していれば、次のステップ８に移行する。
【００４５】
ステップ８において、検版処理用端末２００の制御部２０１は、デジタル検版の結果画像を、ネットワーク４００を介して、結果用データベース（以下、「結果用ＤＢ」と呼ぶ）に格納（保存）する。
【００４６】
ステップ９において、ＤＴＰ端末１００の制御部２０１は、結果用ＤＢからデジタル検版の結果画像を取得し、ＤＴＰ端末１００の表示部２０５に表示する。
ステップ１０において、当該表示された結果画像に基づいて、ＤＴＰオペレータなどが、刷版してよいか否かを判断する。「刷版可」と判断した場合は、ステップ１１に移行し、検版工程を終了する。「刷版不可」と判断した場合は、ステップ１２に移行する。
【００４７】
ステップ１２において、ＤＴＰオペレータなどが、ＤＴＰ端末１００を用いてＤＴＰ編集作業を行い、作業終了後、前述したステップ５に移行し同じ工程を繰り返す。ただし、ステップ５において、当初のデジタルデータ３ではなく、本ステップにおけるＤＴＰ編集作業後のデジタルデータを用いてビットマップ画像を生成する点に留意する。
以上の検版工程は、ステップ１０において「刷版可」と判断されるまで繰り返す。
【００４８】
＜デジタル検版処理＞
次に、図５のフローチャートを参照して、検版処理用端末２００の制御部２０１によってスキャンデータとＤＴＰデータをビットマップ化した画像データの差異の比較を行うデジタル検版処理について説明する。
【００４９】
デジタル検版処理は、対応点探索処理、位置合わせ処理、差分処理、結果画像生成処理の順で、検版処理用端末２００の制御部２０１によって実行される。
【００５０】
まず、ステップ２１の対応点探索処理において、検版処理用端末２００の制御部２０１は、スキャンデータの画像とＤＴＰデータをビットマップ化した画像データの画像の対応点（画像上の同じ点）を探索する。対応点を探索する手法は、例えば、ＳＩＦＴ（Ｓｃａｌｅ  Ｉｎｖａｒｉａｎｔ  Ｆｅａｔｕｒｅ  Ｔｒａｎｄｆｏｒｍ）などを用いる。検版処理用端末２００の制御部２０１は、ＳＩＦＴを用いて、スキャンデータの画像とＤＴＰデータをビットマップ化した画像データの画像からそれぞれ特徴点を抽出し、特徴点に紐づく特徴量を算出する。そして、検版処理用端末２００の制御部２０１は、スキャンデータとＤＴＰデータをビットマップ化した画像データの画像間の特徴点について、例えば特徴量による距離が最も近いものを対応点として算出する（図６参照）。
なお、対応点探索処理については、ＳＩＦＴに限られるものではなく、画像間の対応点を探索する手法であれば、他の手法を用いてもよい。
【００５１】
次に、ステップ２２の位置合わせ処理において、検版処理用端末２００の制御部２０１は、ステップ２１の対応点探索処理により探索されたスキャンデータとＤＴＰデータをビットマップ化した画像データの画像上の対応点の組み合わせの集合から、スキャンデータの画像上の各座標をＤＴＰデータの画像上の各座標に座標変換する座標変換係数を算出する。座標変換係数が算出できれば、スキャンデータの画像は座標変換係数を介してＤＴＰデータをビットマップ化した画像データの画像へ自動的に位置合わせできる（図６参照）。
【００５２】
座標変換係数は位置合わせの精度などに応じて適宜選択可能である。例えば、スキャンデータの画像がＤＴＰデータをビットマップ化した画像データの画像に対して回転ずれしている場合には、スキャンデータの画像上の座標からＤＴＰデータをビットマップ化した画像データの画像上の座標への座標変換は線形変換で表現できるため、検版処理用端末２００の制御部２０１は、線形変換の行列の係数を座標変換係数として算出すればよい。一方、スキャンデータの画像がＤＴＰデータをビットマップ化した画像データの画像に対して、回転ずれに加えて、並進ずれ、拡大縮小しているような場合には、スキャンデータの画像上の座標からＤＴＰデータをビットマップ化した画像データの画像上の座標への座標変換は、ヘルマート変換またはアフィン変換などで表現できるため、検版処理用端末２００の制御部２０１は、これらの座標変換係数を算出すればよい。座標変換係数は、例えば、最小二乗法などを利用して算出することが可能である。
【００５３】
次に、ステップ２３の差分処理において、検版処理用端末２００の制御部２０１は、ステップ２２の位置合わせ処理で位置合わせしたスキャンデータの画像とＤＴＰデータをビットマップ化した画像データの画像の差分を取る。具体的には、検版処理用端末２００の制御部２０１は、スキャンデータの画像とＤＴＰデータをビットマップ化した画像データの画像のＲＧＢ値の差分を画素毎に算出する。
【００５４】
次に、ステップ２４の結果画像生成処理において、検版処理用端末２００の制御部２０１は、ステップ２３の差分処理で算出した各画素の差分結果からデジタル検版の結果画像を生成する。検版処理用端末２００の制御部２０１は、差分結果から得られる「評価値」が予め設定しておいた閾値を超えた場合は「差異あり」とし、閾値以下の場合には「差異なし」とする。検版処理用端末２００の制御部２０１は、「差異あり」とした画素に対しては、所定の色を割り当てる。所定の色は、元のＤＴＰデータをビットマップ化した画像データの当該画素の色をそのまま割り当ててもよいし、差分処理Ｓ２３により算出した差分値を割り当ててもよい。その他、特定の色（例えば黒色など）を割り当てるなどしてもよい。一方、検版処理用端末２００の制御部２０１は、「差異なし」とした画素に対しては、特定の色（例えば白色）を割り当てる。少なくとも、「差異あり」と「差異なし」とした画素が同色にならないようにする。また、上述した「評価値」としては、Ｒ、Ｇ、Ｂの各差分の絶対値の平均値でも良いし、Ｒ、Ｇ、Ｂの各差分の絶対値のうち最大の値を採用してもよい。
【００５５】
検版処理用端末２００の制御部２０１は、以上の処理を、全画素に対して行い、デジタル検版の結果画像を生成する。結果画像の一例は、たとえば、図７に示すようになる。図７の左図がスキャンデータ、中央図がＤＴＰデータをビットマップ化した画像データ、右図がデジタル検版の結果画像である。本実施例の場合、「差異あり」とした画素には、差分処理Ｓ２３の差分値を割り当て、「差分なし」とした画素に対しては白色を割り当てている。
【００５６】
以上、本実施形態の検版工程とデジタル検版処理について説明した。
【００５７】
なお、処理を実行する主体は本実施形態の構成に限定するものではない。例えば、デジタル検版処理は、検版処理用端末２００の制御部２０１が実行するように構成しているが、ＤＴＰ端末１００の制御部２０１が実行するように構成してもよい。また、ＤＴＰデータをビットマップ化した画像データの生成、検版用ＤＢへの格納などの処理は、ＤＴＰ端末１００の制御部２０１が行うように構成しているが、検版用処理端末２００の制御部２０１が行うように構成してもよい。
【００５８】
本実施形態によれば、得意先から紙媒体として体裁見本２とそれに対応するデジタルデータ３が入稿された場合、体裁見本２及びデジタルデータ３から共にビットマップ画像を生成し、ビットマップ画像に基づきデジタル検版を実施する。そのため、紙媒体同士の検版、スキャンデータ同士の検版に起因する作業負担の増大、差異の見落としの発生を抑制できる。
また、体裁見本２を一度スキャナで取り込めば、刷版までの工程は全て端末内の作業に集約できるため、ＤＴＰ編集作業の度に紙をプリンタで出力したり、紙をスキャナで取り込んだり、といった工程が発生することがなく、検版のための余分な付随作業を抑制できる。
さらに、ＤＴＰオペレータなどは、デジタル検版処理の結果画像をＤＴＰ端末１００の表示部２０６で直接確認しながら、ＤＴＰ編集作業を行うことができるため、ＤＴＰ編集作業の効率化を図ることができる。
【００５９】
以上、添付図面を参照しながら、本発明に係る検版システム１等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６０】
１  ・・・・・・検版システム
２  ・・・・・・体裁見本
３  ・・・・・・デジタルデータ
４  ・・・・・・スキャンデータ
５  ・・・・・・ＤＴＰデータをビットマップ化した画像データ
１００  ・・・・ＤＴＰ端末
２００  ・・・・検版処理用端末
３００  ・・・・スキャナ
４００  ・・・・ネットワーク
【図１】
2015187810.tif 000003
【図２】
2015187810.tif 000004
【図３】
2015187810.tif 000005
【図４】
2015187810.tif 000006
【図５】
2015187810.tif 000007
【図６】
2015187810.tif 000008
【図７】
2015187810.tif 000009